(57)【要約】【課題】レーダーアンテナカバーの衝撃力を測定するテストセットアップを提供すること。【解決手段】テストセットアップは、レーダー放射を受信し、レーダー放射を生成するように構成されるレーダーセンサーアンテナ１と、レーダー放射を生成し、レーダー放射を受信するように構成されるテストアンテナ２と、レーダーセンサーアンテナ１を覆うレーダーセンサーアンテナカバー３を構成し、テストアンテナは、仰角および／または方位角方向において複数のアンテナ要素５、１１を備える。【選択図】        図１
2018179961.tif 000002
【特許請求の範囲】
【請求項１】
レーダー放射を生成し、前記レーダー放射を受信するように構成されるテストアンテナと、
前記レーダー放射を受信し、前記レーダー放射を生成するように構成されるレーダーセンサーアンテナと、
前記レーダーセンサーアンテナを覆うレーダーセンサーアンテナカバーと、
を備えるレーダーアンテナカバーの衝撃力を測定するテストセットアップであって、
前記テストアンテナは、仰角および／または方位角方向において複数のアンテナ要素を備えることを特徴とするテストセットアップ。
【請求項２】
生成および受信されるレーダーセンサーアンテナデータおよび／または前記レーダーセンサーアンテナカバーの有無による測定に基づくテストアンテナデータに基づく、前記レーダーセンサーアンテナカバーを評価するように構成される分析ユニットを備えることを特徴とする請求項１に記載のセットアップ。
【請求項３】
前記テストアンテナにより生成される前記レーダー放射は、標的を模擬するようにレーダーエコーを発するものであることを特徴とする請求項１に記載のセットアップ。
【請求項４】
前記各テストアンテナ要素は、個別的に切り替えられるように構成されていることを特徴とする請求項１に記載のセットアップ。
【請求項５】
前記切り替え可能なテストアンテナ要素は、ビームを形成するように構成されていることを特徴とする請求項４に記載のセットアップ。
【請求項６】
前記切り替え可能なテストアンテナ要素は、干渉信号を形成するように構成されていることを特徴とする請求項４に記載のセットアップ。
【請求項７】
前記切り替え可能なテストアンテナ要素は、多数の標的を模擬するために多重模擬信号を形成するように構成されていることを特徴とする請求項４に記載のセットアップ。
【請求項８】
前記レーダーセンサーアンテナは、前記テストアンテナからの受信信号を測定するように構成されていることを特徴とする、請求項１に記載のテストアップ。
【請求項９】
前記レーダーセンサーアンテナは、信号の角度および／または幅および／またはドップラー信号および／または信号エコーパワーを測定するように構成されていることを特徴とする、請求項８に記載のテストアップ。
【請求項１０】
前記レーダーセンサーアンテナは、マルチアンテナ配列であることを特徴とする、請求項１に記載のテストアップ。
【請求項１１】
テストアンテナにより生成される仰角および／または方位角データを備えるレーダー放射の第１の測定を備えるレーダーアンテナカバーの衝撃力を測定するテスト方法であって、
前記レーダー放射は、レーダーセンサーアンテナを覆う部材を通らない、及び前記レーダーセンサーアンテナを覆う前記部材を通る双方で、前記レーダーセンサーアンテナによって受信され、
前記受信されるレーダー放射は、前記レーダーセンサーアンテナを覆う前記部材の影響を評価するために分析されることを特徴とするテスト方法。
【請求項１２】
前記レーダーセンサーアンテナを覆う前記部材を通らない、及び前記レーダーセンサーアンテナを覆う前記部材を通る双方で、前記テストアンテナによって受信される、前記レーダー放射の第２の測定を備え、この測定に基づいて前記レーダーセンサーアンテナのアンテナビームパターンの歪みの評価を実行することを特徴とする、請求項１１に記載のテスト方法。
【請求項１３】
前記テスト方法は、レーダーエコーが標的を模擬するように生成される前記テストアンテナを形成する工程をさらに備えることを特徴とする請求項１１に記載のテスト方法。
【請求項１４】
前記テスト方法は、全ての入手可能なアンテナ要素のいかなる切替え組合せをも実現するように、個別的にアンテナ要素を切り替える工程をさらに備えることを特徴とする請求項１１に記載のテスト方法。
【請求項１５】
前記テスト方法は、ビームが前記テストアンテナによって形成される工程をさらに構成し、および／または前記方法は干渉信号が前記テストアンテナによって形成される工程をさらに備えることを特徴とする請求項１１に記載のテスト方法。
【請求項１６】
前記テスト方法は、多重模擬信号が前記テストアンテナによって形成される工程をさらに備えることを特徴とする請求項１１に記載のテスト方法。
【請求項１７】
前記テスト方法は、前記テストアンテナからの受信信号が前記レーダーセンサーアンテナによって測定される工程をさらに備えることを特徴とする請求項１１に記載のテスト方法。
【請求項１８】
前記テスト方法は、信号の角度および／または幅および／またはドップラー信号および／または信号エコーパワーが前記レーダーセンサーアンテナによって測定される工程をさらに備えることを特徴とする請求項１７に記載のテスト方法。
【発明の詳細な説明】
【技術分野】
【０００１】
本発明は、レーダー波のレーダーアンテナカバーの衝撃力を評価するテストセットアップおよびテスト方法に関するものである。テストセットアップは、テストアンテナ、レーダーセンサーアンテナおよびレーダーアンテナカバーを構成する。
【背景技術】
【０００２】
一般に、レーダーアンテナは、アンテナを保護するレドームまたはバンパーと呼ばれる全天候型の囲いにより覆われている。たとえ、レドームまたはバンパーがレーダー波の影響を最小限に抑える部材から構成されているとしても、レーダーセンサーの角度精度は影響を受け、アンテナビームパターンは歪められる。このように、レドームまたはバンパーにより生じるレーダー波の効果を測定する測定方法およびセットアップが必要である。
【０００３】
特許文献１は、第１無線信号が第１アンテナ配列により送信され、前記無線信号は第２アンテナ配列によって監視され測定されるカバーによって少なくとも部分的に反射されることを特徴とする、２つの近接したアンテナ配列を使用する、鉄道車両のドップラーレーダーセンサーのカバーを監視する方法を開示している。前記第２アンテナによって測定される反射信号に基づき、カバー上に存在するゴミは自動的に検出される。
【先行技術文献】
【特許文献】
【０００４】
【特許文献１】国際公開２０１５／０４３９３５
【発明の概要】
【発明が解決しようとする課題】
【０００５】
しかしながら、特許文献１は、レドームまたはバンパーにより生じるレーダー波の効果を評価する仰角および／または方位角方向における複数のアンテナ要素を構成するテストアンテナを示していない。特許文献１は、送信アンテナ配列および受信アンテナ配列がカバーの同じ側に位置し、よって特許文献１はテストアンテナを有するレーダー波上のレドームまたはダンパー部材への影響の測定を開示しておらず、反射測定に基づくカバー上のゴミを検出するのみである。テストアンテナ、レーダーセンサーアンテナ、レーダーセンサーアンテナカバーを有するシステムおよび方法を提供することが必要である。
【０００６】
そこで、本発明は、レーダーアンテナカバーの衝撃力を測定するテストセットアップを提供することを目的とする。
【課題を解決するための手段】
【０００７】
本発明の第１概念によれば、レーダーアンテナカバーの衝撃力を測定するテストセットアップが提供されている。前述のテストセットアップは、レーダー放射を生成し、レーダー放射を受信するように構成するテストアンテナと、レーダー放射を受信し、レーダー放射を生成するように構成されるレーダーセンサーアンテナと、レーダーセンサーアンテナを覆うレーダーセンサーアンテナカバーと、を備える。テストアンテナ自体は、仰角および／または方位角方向におけて複数のアンテナ要素を備える。有利なことに、仰角および／または方位角方向における複数のアンテナ要素を構成するテストアンテナのため、実際の条件下のセンサーカバー部材を評価するレーダー放射が生成できる。
【０００８】
第１概念の第１の好ましい実施形態によれば、追加的にまたは代替的に、テストセットアップは、生成および受信されるレーダーセンサーアンテナデータおよび／またはレーダーセンサーアンテナカバーの有無による測定に基づくテストアンテナデータに基づく、レーダーセンサーアンテナカバーを評価するように構成される分析ユニットを構成している。レーダーセンサーカバー有りで生成されるデータおよびさらにレーダーセンサーアンテナカバー無しに生成されるデータに基づき、レーダーセンサーアンテナを覆ういかなる部材の衝撃力をも評価することができる。
【０００９】
第１概念の更なる好ましい実施形態によれば、テストアンテナにより生成されるレーダー放射は、レーダーエコーを発するものである。これらのレーダーエコーは、レーダー放射が発せられ、対象物において反射される時に、通常受信するレーダーエコーを模擬する。よって、生成されるエコーは、標的を模擬する。
【００１０】
第１概念の更なる好ましい実施形態によれば、追加的にまたは代替的に、各テストアンテナ要素は、個別的に切り替えられるように構成されている。
【００１１】
第１概念の更なる好ましい実施形態によれば、切替え可能なテストアンテナ要素は、ビームを形成するように構成されている。有利なことに、ビームは位相配列アンテナによって形成でき、またアンテナを移動させることなしに異なる方向を指示するように電子的に導光することができる。加えて、ロボットアームは、アンテナを特別な場所に位置させることができるように、テストアンテナが取り付けられることが考えられる。
【００１２】
第１概念の更なる好ましい実施形態によれば、追加的にまたは代替的に、切替え可能なテストアンテナ要素は、干渉信号を形成するように構成されている。
【００１３】
第１概念の更なる好ましい実施形態によれば、追加的にまたは代替的に、切替え可能なテストアンテナ要素は、多数の標的を模擬するために多重模擬信号を形成するように構成されている。
【００１４】
第１概念の更なる好ましい実施形態によれば、追加的にまたは代替的に、レーダーセンサーアンテナは、テストアンテナからの受信信号を測定するように構成されている。
【００１５】
第１概念の更なる好ましい実施形態によれば、追加的にまたは代替的に、レーダーセンサーアンテナは、信号の角度および／または幅および／またはドップラー信号および／または信号エコーパワーを測定するように構成されている。
【００１６】
第１概念の更なる好ましい実施形態によれば、追加的にまたは代替的に、レーダーセンサーアンテナは、マルチアンテナ配列である。そのようなマルチアンテナ配列は、一つのアンテナで実現されるよりも、より狭いレーダー波のビームを実現することを許容する。マルチアンテナ配列は、無線ビームが異なる方向において電子的に導光するよう指示することを許容し、さらにまたアンテナ配列は特別な方向からの干渉を取り消すために使用できる。
【００１７】
本発明の第２概念によれば、レーダーアンテナカバーの衝撃力を測定する方法が提供されている。方法は、テストアンテナにより生成される仰角および／または方位角データを備えるレーダー放射の第１の測定を備える。第１の測定は、２つのパートから成り；１つ目のパートは、テストアンテナにより生成される放射が、レーダーセンサーアンテナを覆う部材の存在なしに直接レーダーセンサーアンテナにより受信されて測定される。測定の２つ目のパートは、テストアンテナにより生成される放射が、レーダーセンサーアンテナを覆う部材の存在下で、レーダーセンサーアンテナにより受信されて測定され、よって、放射はレーダー放射に影響を与える部材を通った後に部材が受信されて測定される。レーダーセンサーアンテナを覆う部材の有無による、双方の測定に基づき、測定データの分析が行われ、レーダーセンサーアンテナを覆う部材の影響が評価される。
【００１８】
第２概念の第１の好ましい実施形態によれば、方法は更に、レーダーセンサーアンテナを覆う部材を通らない、及びレーダーセンサーアンテナを覆う部材を通る双方で、テストアンテナによって受信される、レーダー放射の第２の測定を備え、この測定に基づいてレーダーセンサーアンテナのアンテナビームパターンの歪みの評価を実行する。
【００１９】
第２概念の更なる好ましい実施形態によれば、追加的にまたは代替的に、方法は、レーダーエコーが標的を模擬するように生成されるようテストアンテナを形成する工程をさらに備える。さもなければレーダー波が対象物によって反射される場合にのみ生成される、エコーを生成可能なテストアンテナでのこの標的の模擬は、実際のテスト対象物を必要とせずに、標的を模擬することを許容する。そのような模擬は、実際の対象物を使用するよりも正確でより速く実行できる。
【００２０】
第２概念の更なる好ましい実施形態によれば、追加的にまたは代替的に、方法は、全ての入手可能なアンテナ要素のいかなる切替えの組み合わせをも実現するように、個別的にアンテナ要素を切り替える工程をさらに構成する。
【００２１】
第２概念の更なる好ましい実施形態によれば、追加的にまたは代替的に、方法は、ビームがテストアンテナによって形成される工程をさらに構成し、および／または方法は干渉信号がテストアンテナによって形成される工程をさらに構成する。前述のビームは、アンテナを移動することなしに異なる方向を指示するように電子的に導光することができる。加えて、テストアンテナは可動であり、アンテナの位置を所望の位置に変更できる。
【００２２】
第２概念の更なる好ましい実施形態によれば、追加的にまたは代替的に、方法は、多重模擬信号がテストアンテナによって形成される工程をさらに備える。
【００２３】
第２概念の更なる好ましい実施形態によれば、追加的にまたは代替的に、方法は、テストアンテナからの受信信号がレーダーセンサーアンテナによって測定される工程をさらに備える。
【００２４】
第２概念の更なる好ましい実施形態によれば、追加的にまたは代替的に、方法は、信号の角度および／または幅および／またはドップラー信号および／または信号エコーパワーがレーダーセンサーアンテナによって測定される工程をさらに備える。
【発明の効果】
【００２５】
本発明のテストセットアップによれば、実際の条件下のセンサーカバー部材を評価するレーダー放射が生成できる。
また本発明のテスト方法によれば、レーダーセンサーアンテナを覆う部材の影響が評価される。
【図面の簡単な説明】
【００２６】
【図１】本発明による第１概念の代表的なテストセットアップのブロック図
【図２】本発明による第１概念のロボットアームを備える代表的なテストセットアップのブロック図
【図３】本発明による第２概念の代表的なテスト方法の工程１〜工程４のフローチャート
【図４】本発明による第２概念の代表的なテスト方法の工程５〜工程８のフローチャート
【発明を実施するための形態】
【００２７】
発明の代表的実施態様は例としてのみ図面にて更に説明され、これに限定されない。
図１は、レーダーセンサーアンテナ１、テストアンテナ２、レーダーセンサーカバー３および分析ユニット４を構成する、レーダーアンテナカバーの衝撃力を測定する代表的なテストセットアップを示す。
【００２８】
レーダーセンサーアンテナ１は、複数のアンテナ要素５から成る代表的なマルチアンテナ配列でり、それぞれのアンテナ要素５は位相シフター６と接続する。この代表的なケースの位相シフター６は、接続線７を介して適用信号の位相を構成するため、分析ユニット４の一部である制御処理ユニット８に接続されている。さらにまた、位相シフター６は、接続線９を介してレーダー信号を送受信するように構成される分析ユニット４の一部である送受信ユニット１０に接続されている。送受信ユニット１０は、制御処理ユニット８に接続されている。送受信ユニット１０および／または制御処理ユニット８が別個のユニットとして設けられ、必ずしも分析ユニット４に備えないこともまた考えられる。
【００２９】
テストアンテナ２は、仰角および／または方位角方向において複数のアンテナ要素１１を構成する。さらにまた、アンテナ要素１１は、代表的に位相シフター１２に接続し得て、そこで位相シフター１２は、接続線１３を介して適用信号の位相を構成する、分析ユニット４の一部である制御処理ユニット８に接続されている。さらにまた、位相シフター１２は、接続線１４を介してレーダー信号を送受信するように構成される分析ユニット４の一部である送受信ユニット１５に接続されている。このように、各アンテナ要素１１の供給電流は、位相シフター１２を介して流れる。送受信ユニット１５は、制御処理ユニット８に接続している。送受信ユニット１５および／または制御処理ユニット８が、別個のユニットとして設けられ、必ずしも分析ユニット４に備えないこともまた考えられる。
【００３０】
各要素１１が位相シフター１２に設けられる、複数のアンテナ要素１１に基づいて、アンテナを移動することなしに、異なる方向を指示するように電子的に導光することができるレーダー波のビームを生成することが可能である。このように、レーダー放射が実際の対象物により反射される場合、通常生成されるレーダーエコーと同一のレーダー放射が生成される。このように、テストアンテナ２は、制御処理ユニット８が送受信ユニット１５と組み合わせて、標的を模擬するためレーダーエコーを生成するように構成されるので、標的を模擬することが可能である。
【００３１】
さらにまた、図１はレーダーセンサーアンテナ１を覆う部材３を示している。部材３は、レーダーセンサーアンテナ１とテストアンテナ２の間に位置し、部材３を通ってレーダー放射に影響を与えている。しかしながら、図３に記載する工程２による測定の間、および図４に記載されている工程６による測定の間、レーダー放射に影響を与える部材なしに参照データを取得するために、これらの２つのアンテナ１と２の間には部材は存在しない。この理由のため、測定が、２つのアンテナ１と２の間の部材３有りで実行され、２つのアンテナ１と２の間の部材なしで実行されることを示すため、カバー物質３は点線により描写されている。
【００３２】
分析ユニット４は、レーダーセンサーアンテナ１を覆うレドーム、バンパー、ウェザーシールド等の、レーダー放射に影響を与える部材３なしに取り込む測定データと、レーダー放射に影響を与える部材３ありで取り込む測定データとを比較する。カバー部材３に起因する角度精度効果を測定するため、レーダーセンサーアンテナ１は、部材３を通って受信信号の仰角および／または方位角度を測定し、分析ユニット４はこのデータと、カバー部材３を通らなかったレーダーセンサー信号の仰角および方位角度の測定データとを比較する。カバー部材３に起因するアンテナビームパターンの歪みの測定のため、テストアンテナ２は部材３を通ってレーダーセンサーアンテナ１によって発せられるレーダー信号を測定し、分析ユニット４はこのデータと、テストアンテナ２が部材３を通らないでレーダーセンサーアンテナ１によって発せられるレーダー放射を受信する場合に取得される測定データとを比較する。
【００３３】
レーダー放射の生成と受信のための例示の他に、当業者に公知のその他の実施例を提供することができる。複数の位相シフターとアンテナ要素で、アンテナ毎に一つの送受信器のみを備える、いわゆるパッシブ電子走査アレイ（PESA）を示す図１に提示される配列と対比し、各アンテナ要素に対して個別の送信器および／または受信器ユニットを備えるアクティブ電子走査アレイ（AESA）アンテナを実施することができる。
【００３４】
有利なことに、本発明によるテストセットアップは、技術水準での解決策から公知のカバー部材の角度精度衝撃力を測定するためのコーナー反射器を必要としない。公知の技術水準での方法は、更なる努力を意味し極めて時間的に消費する複数のコーナー反射器のレドームカバー有りのコーナー反射器位置（R、方位角、仰角）の測定を必要としている。本発明のテストセットアップは、数秒以内にカバー部材の角度精度衝撃力の測定を許容し、その上アンテナカバーに起因するアンテナビームパターンの歪みの測定は数秒以内に可能である。
【００３５】
別図において同様の要素をより理解しやすくするため、１００番台を図１に付与された符号に追記して、図２の要素に付番した。図２は、レーダーセンサーアンテナ１０１、テストアンテナ１０２、レーダーセンサーカバー１０３、分析ユニット１０４およびテストアンテナ１０２をロボットアーム１１６に接続する接続アダプター１１７を備えるロボットアーム１１６を構成する、レーダーアンテナカバーの衝撃力を測定する代表的なテストセットアップを示している。機械的な安定を確保しロボットアーム１１６を固定するため、ロボットアームは、取付板１１８上に取り付けられる。
【００３６】
レーダーセンサーアンテナ１０１は、複数のアンテナ要素１０５から成る代表的なマルチアンテナ配列であり、複数のアンテナ要素１０５は、それぞれが、接続線１０９を介して送受信ユニット１１０に、接続線１０７を介して制御処理ユニット１０８に接続される。この代表的なケースにおいて、第１アンテナ配列を設けるだけでなく、第１アンテナと対称的に反射される副の第２アンテナが示されている。
【００３７】
追加的にまたは代替的に、第１アンテナ配列に関し異なる方向で配置されるアンテナ配列のレーダーセンサーアンテナが考えられる。さらにまた、送受信ユニット１１０は制御処理ユニット１０８と接続している。
【００３８】
加えて、また送受信ユニット１１０および／または送受信ユニット１１５および／または制御処理ユニット１０８が別個のユニットとして設けられ、分析ユニット１０４に備える必要がないものと考えられる。
【００３９】
テストアンテナ１０２は、仰角および／または方位角方向において複数のアンテナ要素１１１を構成する。さらにまた、アンテナ要素１１１は、適用信号の位相を構成するため、接続線１１３を介して分析ユニット１０４の一部であり得る制御処理ユニット１０８に接続している。さらにまた、アンテナ要素１１１は、送受信レーダー信号を構成するため、接続線１１４を介して分析ユニット１０４の一部であり得る送受信ユニット１１５に接続している。
【００４０】
制御処理ユニット１０８を介して、各要素１１１が個々に切り替えられて、制御し得るように構成される、複数のアンテナ要素１１１に基づいて、テストアンテナ１０２を移動することなしに、異なる方向を指示するように電子的に導光することができるレーダー波のビームを生成することが可能であり、レーダー放射が実際の対象物によって反射される場合に、通常生成されるレーダーエコーと同一であるレーダー放射を生成することが可能である。このように、テストアンテナ１０２は、標的を模擬することが可能である。
【００４１】
個別的に各単一アンテナ要素１１１の制御によって電子的に生成されるレーダービーム移動に加え、ロボットアーム１１６はテストアンテナ１０２をレーダーセンサーアンテナ１０１周囲の所望の位置へ移動させるように設けられている。この代表的なケースにおいて、ロボットアーム１１６の移動は、x、 yおよびz方向においてロボットアーム１１６を移動させるモーター１１９によって実現される。ロボットアームは、制御処理ユニット１０８によって制御され、接続線１２０を介して制御処理ユニット１０８に接続される。ロボットアームは周知であり、異なる形状において入手し得るので、ロボットアームに関してはさらなる詳述は行わない。さらにまた、テストアンテナ１０２をロボットアーム１１６に接続する接続アダプター１１７およびロボットアームを取り付けて、機械的安定性の確保をする取付板１１８、が示されている。
【００４２】
さらにまた、図２はレーダーセンサーアンテナ１０１を覆う部材１０３を示している。部材１０３は、レーダーセンサーアンテナ１０１とテストアンテナ１０２の間に位置し、部材１０３を通してレーダー放射に影響を与えている。しかしながら、図３に記載する工程２による測定の間、および図４に記載する工程６の間、レーダー放射に影響を与える部材なしに参照データを取得するために、２つのアンテナ１０１と１０２の間に部材は存在しない。この理由のため、測定が、２つのアンテナ１０１と１０２の間の部材１０３有りで実行され、また２つのアンテナ１０１と１０２の間の部材１０３なしで実行されることを示すため、カバー部材１０３は点線により描写されている。
【００４３】
分析ユニット１０４は、レーダーセンサーアンテナ１０１を覆うレドーム、バンパー、ウェザーシールド等の、レーダー放射に影響を与える部材１０３なしに取り込む測定データと、レーダー放射に影響を与える部材１０３有りで取り込む測定データとを比較する。カバー部材１０３に起因する角度精度効果を測定するため、レーダーセンサーアンテナ１０１は、部材１０３を通って受信信号の仰角および方位角度を測定し、分析ユニット１０４はこのデータと、カバー部材３を通らないレーダーセンサー信号の仰角および方位角度の測定データとを比較する。カバー部材１０３に起因するアンテナビームパターンの歪みの測定のため、テストアンテナ１０２は部材１０３を通ってレーダーセンサーアンテナ１０１によって発せられるレーダー信号を測定し、分析ユニット１０４はこのデータと、テストアンテナ１０２が部材１０３を通らないでレーダーセンサーアンテナ１０１によって発せられるレーダー放射を受信する場合に取得される測定データとを比較する。
【００４４】
有利なことに、本発明によるテストセットアップは、技術水準での解決策から公知のカバー部材の角度精度衝撃力を測定するためのコーナー反射器を必要としない。公知の技術水準での方法は、更に高水準の努力を意味し極めて時間的に消費する複数のコーナー反射器のレドームカバーの有無でコーナー反射器位置（R、方位角、仰角）の測定を必要としている。本発明のテストセットアップは、数秒以内にカバー部材の角度精度衝撃力の測定を許容する。アンテナ移動なしに行われるビーム移動に加え、ロボットアーム１１６の移動はテストアンテナ１０２を位置決めすることができ、大まかな走査位置を定めることができるので、追加のロボットアーム１１６はさらにテスト時間を削減する。微細な位置決め、いわゆるビームのファインチューニングは、電子ビーム移動によって処理される。 
【００４５】
加えて、ロボットアーム１１６は、測定工程次第で、レーダーセンサーアンテナ１０１周囲にレドーム・バンパー１０３を配置する、またレーダーセンサーアンテナ１０１周囲にレドーム・バンパー１０３を外すためのさらなる機能を果たすように適用できる。この構成は、自動製造ラインのテストをする場合に特に時間の節約になる。
【００４６】
図３は、レーダー放射を生成する送信モードに切り替えるテストアンテナ２、 １０２と、レーダー放射を受信する受信モードに切り替えるレーダーセンサーアンテナ１、 １０１を有する本発明のテスト方法のフローチャートを示している。工程１において、仰角および方位角データを構成するレーダー放射は、テストアンテナ２、 １０２によって生成される。レーダー放射に含まれる仰角および方位角データゆえに、標的の模擬を許容する、実際の対象物により反射されるレーダー波と比較されるレーダー波が生成される。次の工程２において、レーダーセンサーアンテナ１、 １０１は、レーダーセンサーアンテナ１、 １０１を覆う部材３、 １０３を通ることなくテストアンテナ２、 １０２からの放射を受信する。レーダーセンサーアンテナ１、 １０１とテストアンテナ２、 １０２との間の部材３、 １０３なしの測定は、参照測定として必要とされる。工程３において、レーダーセンサーアンテナ１、 １０１は、テストアンテナ２、 １０２から生成される、レーダーセンサーアンテナ１、 １０１を覆う部材３、 １０３を通る、レーダー放射を受信する。
【００４７】
部材３、 １０３がレーダー放射に高い透過性を備えていて、部材を通過する放射線への衝撃を最小にするために可能な限り等質であるとしても、ビームパターンの歪みと角度測定エラーを引き起こす部材を通過するレーダー放射に対する影響がある。工程４は、部材３、 １０３を通ることなく、直接に受信するレーダー放射を分析し、またレーダー放射に影響を与える部材３、 １０３を通った後に受信されるレーダー放射を分析する。センサーアンテナカバー３、 １０３なしの測定と、またセンサーアンテナカバー３、 １０３がある他の測定に基づいて、テストアンテナから発せられるレーダー放射上のカバー３、 １０３の衝撃力が評価される。レーダー放射上のセンサーアンテナカバーの衝撃力に関する情報は、吸収、反射または散乱により、レーダー放射に影響を与えるカバー３、 １０３が、レーダーセンサーアンテナ１、 １０１を覆う場合、レーダーセンサーアンテナの角度精度を維持するために必要とされる。
【００４８】
最後に、図４は、継続レーダー波（ＣＷ）を生成する送信モードに切り替えるレーダーセンサーアンテナ１、 １０１と、レーダーセンサーアンテナ１、 １０１によって発せられるレーダー波を受信する受信モードに切り替えるテストアンテナ２、 １０２を有する本発明のテスト方法のフローチャートを示している。継続レーダー波の生成は、本発明のテスト方法の工程５に示されている。工程６において、放射継続レーダー波は、レーダーセンサーアンテナ１、 １０１を覆う部材３、 １０３を通ることなく、テストアンテナ２、 １０２によって受信、測定される。工程７において、放射継続レーダー波は、レーダーセンサーアンテナ１、 １０１を覆う部材３、 １０３を通って、テストアンテナ２、 １０２によって受信、測定される。工程８において、上記２つの測定、１つはセンサーアンテナカバー３、 １０３の影響なしの測定と、もう１つはセンサーアンテナカバー３、 １０３の影響を受ける測定に基づき、カバー部材３、 １０３により起因するアンテナビームパターンの歪みの測定が実行される。
【００４９】
上記に本発明の様々な実施形態が記載されているが、それらは例示のみによって提示されており、限定されないと理解すべきである。発明の理念または範囲から逸脱することなく、ここでの開示に従って、開示された実施形態への多数の変更が可能である。よって、本発明の幅および範囲は上記に記載の実施形態に限定されるべきでない。むしろ、発明の範囲は下記の請求項およびそれらの同等物に従って定義されるべきである。
【００５０】
発明は、一つまたはそれ以上の実施例に関して図解され記述されたけれども、同等の変更および修正は、この明細書および添付の図面を読解した上で当業者に思い浮かぶであろう。加えて、複数の実施例の一つに関してのみ、発明の詳細な特徴は開示されているが、そのような特徴は、所望される他の実施例およびいかなるまたは特別な出願の利点の一つまたはそれ以上の他の特徴との組み合わせても構わない。
【符号の説明】
【００５１】
１  レーダーセンサーアンテナ
２  テストアンテナ
３  レーダーセンサーカバー（部材）
４  分析ユニット
５、１１  アンテナ要素
６、１２  位相シフター
７、９、１３、１４  接続線
８  制御処理ユニット
１０、１５  送受信ユニット
１０１  レーダーセンサーアンテナ
１０２  テストアンテナ
１０３  レーダーセンサーカバー（部材）
１０４  分析ユニット
１０５、１１１  アンテナ要素
１０７、１０９、１１３、１１４、１２０  接続線
１０８  制御処理ユニット
１１０、１１５  送受信ユニット
１１６  ロボットアーム
１１７  接続アダプター
１１８  取付板
１１９  モーター
【図１】
2018179961.tif 000003
【図２】
2018179961.tif 000004
【図３】
2018179961.tif 000005
【図４】
2018179961.tif 000006